(57)【要約】【課題】  災害に緊急対処する側帯構造およびネット袋を提供する。【解決手段】  河川堤防１の堤内（市街地側）の法面に重量物を入れたネット袋７および土嚢（とくに大型土嚢）のうち少なくとも一方を配設する。河川洪水の緊急時には、小分けして積み上げてあるこれらの重量物を補強を要する現場に移し替え、堤防の決壊を防止する。重量物を入れたネット袋７は、整然と積み上げることを可能とするため、ネット袋の下端または下端近傍にその下端部が位置する帯状の補強材を設ける。ネット袋の下端部の胴まわりに帯状の補強材が存在する結果として、岩石やコンクリートブロック片を詰め込む作業時に下端部が広がらず、法面に積み上げても長期にわたって安定を保つ。【選択図】    図１
0003122398.tif 000002
【実用新案登録請求の範囲】
【請求項１】
河川堤防の堤内法面に、重量物を入れたネット袋および土嚢のうち少なくとも一方を配設し、堤内法面を被覆することを特徴とする堤防の側帯構造。
【請求項２】
請求項１記載のネット袋は、胴部に帯状の補強材を備え、
最下端部に配した補強材は、その下端部が、ネット袋の下端または下端近傍に位置することを特徴とするネット袋。
【請求項３】
ネット袋の下端または下端近傍から上部の開口に達する、縦方向に配した三本以上の吊上用ロープ材を備えることを特徴とする請求項２記載のネット袋。
【請求項４】
吊上用ロープ材の上端に、吊上器具に係合するループ材を設けることを特徴とする請求項２または請求項３記載のネット袋。
【考案の詳細な説明】
【技術分野】
【０００１】
本考案は、河川流量の増大による堤防の決壊等の河川災害を未然に防止し、または災害時の迅速な対応を行うための技術に係り、とくに、河川災害時に必要となる大量の土嚢や岩石等を効率的に備蓄する側帯構造に関する。
【背景技術】
【０００２】
洪水時における河川の保全管理は、人命や家屋財産に直結する問題である。従来、河川の保全対処は、堤防の法面をコンクリートブロック等で被覆して強度を高めることによって行っているが、著しい河川流水の増大があるときは、法面や天端のコンクリートを流水から守るため、法面や天端に土嚢を配したり、岩石やコンクリートブロック片を詰めたネット袋を緊急配置する等して対処する。
【０００３】
河川災害に備えて、図４に示すように、堤体の堤外（河川側）の法面２および河床に根固３を配して堤外の法面を洗掘から保護する試みもなされている。このような場合に使用される根固の技術としては、例えば従来、特許文献１のものが知られている。これは、図５に示すように、樹脂製の繊維を用いたネット袋４の胴部に、補強帯５を配するもので、補強帯５を設けることでネット袋４の強度を高め、内部には岩石やコンクリートブロック片等を装填できるようにしたものである。また、吊り上げを容易にするため、ネット袋４の開口を閉じたときに上端部に吊り上げ用の環状部材Ｒを配する場合がある。尚、図４において符号６は側帯の盛土である。
【特許文献１】特開平１１−５０４２８号
【考案の開示】
【考案が解決しようとする課題】
【０００４】
ところで、特許文献１の考案は、もともと側帯１の堤外（河川側）の根固用ブロックとして用いるものであって、堤体の構造強度を高めるためのものであり、洪水緊急時に大量の根固を用いて側帯１の堤内（市街地側）の強度を高めることを考慮していない。
【０００５】
また、河川側法面（堤外）に最初から数多くの根固３を配すると河川幅を狭める。従来の側帯構造の考え方には、根固３を用いて河川側法面（堤外）の洗掘を長期的視野で防止するものであり、洪水の緊急時に大量の根固３を必要現場に搬入して堤防を補強するという技術思想はみられない。
【０００６】
また、このような事情から根固３に使用するネット袋の強度にも問題がある。特許文献１の考案は、胴部に補強帯５を配してあるため、岩石やコンクリートブロック片を充填してゆっくりと吊り上げたときにはネット袋４の破損を抑えることは可能であるが、緊急時に急いで吊り上げようとしたときには、最下段の補強帯５の下のネットが岩石等の重量や形状によって破損する可能性がある。この意味では緊急時の利用において改善の余地を残している。
【０００７】
また、特許文献１の場合、最下段の補強帯５の下のネットは、岩石やコンクリートブロック片の大きさによっては自由に変形する。このため、ネット袋４に岩石やコンクリートブロック片や土嚢のような重量物を詰め込んだときには、下端部が変形する結果として、大量の根固３を法面に整然と積み上げることが困難である。
【０００８】
洪水に緊急対処するためには、予め作り置きしておいた河川保全用の土嚢等を危険な現場に運び入れて配置することが望ましく、洪水の危険性が認められてから河川保全用の土嚢等を作り始めたのでは迅速な対応が出来ない。かかる点に鑑みれば、下端が変形する可能性をもつ特許文献１のネット袋４は、積み上げ備蓄用の利用には不向きである。
【０００９】
そこで、本考案の目的は、災害に緊急対処するための新しい側帯構造を提案するとともに、当該側帯構造に用いるネット袋を提供することにある。
【課題を解決するための手段】
【００１０】
前記目的を達成するため、本考案に係る堤防の側帯構造は、堤内法面に重量物を入れたネット袋および土嚢（とくに大型土嚢）のうち少なくとも一方を配設し、側帯（堤体の堤内法面）を被覆する（請求項１）。
【００１１】
この請求項１の構造によれば、洪水緊急時には、堤内法面（市街地側）に小分けして積み上げてある大量の重量物（重量物を入れたネット袋および土嚢のうち少なくとも一方）を堤防決壊の可能性がある現場に緊急に運び込んで、堤体の強度を確保するための緊急処置を講ずることが出来る。
【００１２】
重量物を入れたネット袋および土嚢は、予め作って側帯（堤内側）に大量に配しておくから、従来の河川防災活動のように、洪水時に緊急に土嚢やネットブロックを作って現場に搬送するという時間のロスもない。
【００１３】
かかる側帯構造を実現する重量物を入れたネット袋および土嚢は、側帯（堤内）に大量に配置する必要がある。土嚢は従来公知であるが、重量物を入れるネット袋は請求項２のように構成する。すなわち、胴部に帯状の補強材を備え、最下端部に配した補強材は、その下端部が、ネット袋の下端または下端近傍に位置する構造である。
【００１４】
かかる構成によれば、ネット袋の下端部の胴まわりに帯状の補強材が存在する結果として、岩石やコンクリートブロック片を詰め込む作業時に下端部が広がらない。このため、ほぼ一定量の岩石等を詰めて全体重量を略均等に保つことが出来ると同時に、これを積み上げたときにも下端部が広がらないため、長期にわたって備蓄状態を安定に保つことが出来る。
【００１５】
請求項３は、ネット袋の下端または下端近傍から上部の開口に達する、縦方向に配した三本以上の吊上用ロープ材を備えることを特徴とするものである。
【００１６】
吊上用ロープ材をネット袋と一体化して設けることにより、緊急作業時の吊り上げによるネット袋の破損事故を確実に低減できる。たんにネット袋を吊り上げるだけならば、必ずしも縦方向に配した吊上用ロープ材を必要としない。しかしながら、洪水災害のような緊急の作業状態を考慮すれば、乱暴な吊り上げにも耐えるネット袋の構造が望まれる。
【００１７】
請求項４は、吊上用ロープ材の上端に、吊上器具に係合するループ材を設けることを特徴とする。
【００１８】
ネット袋を吊り上げるためには、ネット袋の上部開口を閉じた部位に何らかの吊上用の部材（環状部材等）を設け、これを吊上装置のアーム（ブーム）の先端のフックまたはリング（吊上器具）に係着して吊り上げればよい。しかし、洪水のような緊急対処を要する災害時には、乱暴な吊り上げにも耐えるネット袋の構造が要求される。請求項４のように、吊上用ロープ材の上端にループ材を設けておけば、ネット袋、吊上用ロープ材、ループ材を一体化させることが可能となり、緊急時の吊り上げに耐える強度の高いネット袋を実現できる。
【考案の効果】
【００１９】
本考案に係る堤防の側帯構造によれば、洪水緊急時に大量のネット袋および土嚢を補強が必要な箇所に緊急配置できる。また、請求項２以下に記載したネット袋によれば、堤内法面（市街地側）に大量に整然と積み上げることが可能であり、緊急作業時の乱暴な吊り上げにも耐える。
【考案を実施するための最良の形態】
【００２０】
図１は、本考案に係る堤防の側帯構造の実施形態を示すものであり、堤体１の堤内（市街地側）の法面に重量物を入れたネット袋（および／または土嚢；以下同じ）７を配する。重量物を入れたネット袋７は、崩れ落ちないよう段状に整然と積み上げる。８は、堤体や天端部分に配した仕切シート、９は、重量物を入れたネット袋７の表面に設けた盛土である。盛土９は、芝を植えるなどして側帯の表面の美観を確保するためのものであるが、必ずしも必要ではない。なお、重量物を入れたネット袋７の最下層部には側帯や堤体１の内部の水を排出するための排水手段、例えば籠マットを用いた排水ドレーン工Ｄを施しておくことが望ましい。籠マット内に排水性の良い砂利等を詰めて設置する等である。
【００２１】
堤内（河川側）の法面は、従来の河川堤防と同様でよい。例えば籠マット、コンクリートブロック、根固の配設等である。自然環境保護の観点からは、このような人工的な法面補強材を用いないケースもあり得る。
【００２２】
本考案の側帯構造によれば、災害の可能性が生じた緊急時に必要となる重量物を入れたネット袋７を、堤内法面（市街地側）にあらかじめ大量に配する結果、河川流量に影響を与えることなく、洪水緊急時に堤内法面（市街地側）に積み上げた重量物を入れたネット袋７を堤防決壊のおそれがある現場に緊急配備することが出来る。緊急を要する災害時に時間のロスなく効率的に対応できるため、災害の規模を最小限にとどめる効果がある。
【００２３】
図２は、本考案の側帯構造に特に適するネット袋を示すものである。このネット袋１０は、例えば樹脂製の略平坦なネット生地を用いて形成するものである。１１は底面、１２は胴部、１４は上部開口、１５は、底面１１から上部開口１４まで縦方向に配した吊上用ロープ材、１６は、この吊上用ロープ材１５の上端部に設けたループである。ループ１６は、吊上用ロープ材１５とは別体の部材を用いても良いが、吊上用ロープ材１５の上端部を折り返して環状に成形しても良い。
【００２４】
ネット袋１０の制作時には、底面１１または／および胴部１２のネット生地を適宜箇所で縫製する。大きな荷重がかかる底面１１は、例えば、胴部１２の下端を折って重ね合わせたり、底面用のネット生地を重ね合わせて、強度を高めることが望ましい。底面１１の縫製箇所を、符号１８として例示する。
【００２５】
２０は、ネット袋１０の下端の強度を高める帯状の補強材である。この補強材２０は、少なくともその下端をネット袋１０の底面１１またはその近傍に位置するよう配し、大きな重量がかかる底面近傍の胴回りの強度を高める。補強材２０は、胴部１２の他の部位の補強材よりも巾広に成形し、ネット袋１０の下端部の広がり変形を確実に防止できるようにすることが望ましい。
【００２６】
例えば、胴部１２の他の部位に配する補強材の上下巾を３〜５ｃｍとすれば、ネット袋１０の下端に配する補強材２０の上下巾は、例えば１０ｃｍ以上、好ましくは２０〜３０ｃｍとする。積み上げ備蓄時の変形を防止するため、他の部位に配する補強材は従来のネット袋以上の数を設けることが望ましい。なお、補強材２０は、引っ張りに強い樹脂材または金属材を使用することが出来る。少なくとも大きな荷重がかかる底部の補強材２０には、劣化しやすい天然素材は使用を控えることが望ましい。
【００２７】
このようなネット袋１０に、岩石、土嚢、コンクリートブロック、土砂から選択した重量物を詰めるときには、例えば、コンクリート等によって成形した作成枠の中にネット袋１０を配置して、上部開口１４からネット袋１０に岩石等を詰め入れる。
【００２８】
その後、上部開口１４を閉じて、吊上用ロープ材１５の上端のループ１６に吊り上げ器具を係着させて持ち上げれば、図３に示すように、一定の重量をもったネット袋７（重量備蓄材；図１参照）が出来るので、このまま堤体１の堤内（市街地側）の法面に整然と積み上げて保管することができる。
【００２９】
かかるネット袋１０を用いれば、ネット袋１０の底面１１近傍の胴部１２が、巾広の補強材２０によって強度を高められているので、多数個を積み上げてもネット袋１０の底部の変形による崩れ落ちは防止できる。また、洪水等の緊急時に急いで吊り上げ搬出／搬入を行っても、補強材２０の存在により底面１１近傍の胴部１２の破損を確実に抑えることが出来る。
【００３０】
本考案の側帯構造に用いるネット袋は、図２に示した実施形態の構成に限定されない。補強材２０によって吊り上げ時の破損事故の確率は大幅に減少できると考えられるので、吊上用ロープ材１５は必ずしも設ける必要はない。しかしながら、吊上用ロープ材１５を配することにより、補強材２０と相俟ってネット袋１０の強度が確実に高まる。
【００３１】
前記実施形態では、吊上用ロープ材１５の上端にループ１６を設けたが、これは各吊上用ロープ材１５にかかる重量のバランスを均等にして、ネット袋１０の破損の確率を低減するためである。
【００３２】
吊上用ロープ材１５を設けないときには、ループ１６が存在し得ないことは当然である。しかしその場合でも、例えば、前記特許文献１に示されているように、例えば、上部開口１４を索条によってくくった上で、吊り上げ用のループまたはフックをネット袋（１０）の上端部に固定しておけば、重機側のループまたはフックに係着させて問題なく重量物の入ったネット袋（７）を吊り上げることが出来る。ただし、この場合は、吊り上げ用のループまたはフックをネット袋（１０）の上端部に個別に配する必要が生ずるので、制作時間を要しコスト高になる可能性が高い。
【００３３】
前記説明では、ネット袋１０の底面１１に平坦なネット生地を配する旨説明したが、底面（１１）のネットの強度を十分に高めておけば、必ずしも底面平坦な構造とする必要はない。例えば、略Ｖ字状を呈する底面であっても、底面のネットの強度を高めておき、補強材２０の上下巾を十分に大きくしておけば、吊り上げ時の破損も生じないし、積み上げ備蓄時の下端部の変形も生じにくい構造となる。
【図面の簡単な説明】
【００３４】
【図１】本考案の側帯構造の実施形態を示す図である。
【図２】本考案の側帯構造に使用するネット袋の実施形態を示す斜視図である。
【図３】図２のネット袋の上部開口を閉じた状態を例示する図である。
【図４】従来の側帯構造を示す図である。
【図５】従来の根固用ネット袋を示す斜視図である。
【符号の説明】
【００３５】
１  堤体
３  根固
８  仕切シート
６、９  盛土
７  （重量物を入れた）ネット袋
１０  （空の）ネット袋
１１  底面
１２  胴部
１４  上部開口
１５  吊上用ロープ材
１６  ループ
１８  縫製箇所
２０  補強材
Ｄ  排水ドレーン工
Ｒ  環状部材
【図１】
0003122398.tif 000003
【図２】
0003122398.tif 000004
【図３】
0003122398.tif 000005
【図４】
0003122398.tif 000006
【図５】
0003122398.tif 000007
【手続補正書】
【提出日】平成17年12月28日(2005.12.28)
【手続補正１】
【補正対象書類名】実用新案登録請求の範囲
【補正対象項目名】全文
【補正方法】変更
【補正の内容】
【実用新案登録請求の範囲】
【請求項１】
河川堤防の堤内法面を、重量物を入れたネット袋および土嚢のうち少なくとも一方により被覆してなる堤防の側帯構造。
【請求項２】
河川堤防の堤内法面に、重量物を入れて配置被覆するためのネット袋であって、胴部に帯状の補強材を備え、最下端部に配した補強材は、その下端部が、ネット袋の下端または下端近傍に位置することを特徴とするネット袋。
【請求項３】
ネット袋の下端または下端近傍から上部の開口に達する、縦方向に配した三本以上の吊上用ロープ材を備えることを特徴とする請求項２記載のネット袋。
【請求項４】
吊上用ロープ材の上端に、吊上器具に係合するループ材を設けることを特徴とする請求項２または請求項３記載のネット袋。
【手続補正書】
【提出日】平成18年4月10日(2006.4.10)
【手続補正２】
【補正対象書類名】実用新案登録請求の範囲
【補正対象項目名】全文
【補正方法】変更
【補正の内容】
【実用新案登録請求の範囲】
【請求項１】
重量物を入れたネット袋および土嚢のうち少なくとも一方によって河川堤防の堤内法面を被覆した河川堤防。
【請求項２】
請求項１に記載の河川堤防であって、前記ネット袋は、胴部に帯状の補強材を備え、この補強材のうち最下端部に配した補強材は、その下端部が、ネット袋の下端または下端近傍に位置することを特徴とする河川堤防。
【請求項３】
前記ネット袋は、その下端または下端近傍から上部の開口に達する、縦方向に配した三本以上の吊上用ロープ材を備えることを特徴とする請求項１または請求項２記載の河川堤防。
【請求項４】
前記吊上用ロープ材の上端に、吊上器具に係合するループ材を設けることを特徴とする請求項３記載の河川堤防。